(57)【要約】【課題】ガス絶縁計器用変圧器の電圧変成要素は、電界緩和のために低圧シールドを用いなければならず、部品点数が多くなり製品の価格が高くなるといった問題があり、さらに部品点数が多くなるため組立の作業工数が多くなるといった問題があった。【解決手段】本発明に係るガスＶＴは、形状の薄板の鋼板が積層されて構成された鉄心と、前記鉄心を固定するための鉄心締付金具と、前記鉄心に巻回された二次コイルと、前記二次コイルの外側に巻回された一次コイルと、前記一次コイルの外周に取り付けられた高圧シールドと、前記鉄心と前記鉄心締付金具を覆うように設けられた低圧シールドと、からなる電圧変成要素を備えたガス絶縁計器用変圧器において、前記鉄心締付金具に低圧シールド部が一体形成されていることを特徴とする。【選択図】図１
2013162059.tif 000002
【特許請求の範囲】
【請求項１】
形状の薄板の鋼板が積層されて構成された鉄心と、前記鉄心を固定するための鉄心締付金具と、前記鉄心に巻回された二次コイルと、前記二次コイルの外側に巻回された一次コイルと、前記一次コイルの外周に取り付けられた高圧シールドと、前記鉄心と前記鉄心締付金具を覆うように設けられた低圧シールドと、からなる電圧変成要素を備えたガス絶縁計器用変圧器において、前記鉄心締付金具に低圧シールド部が一体形成されていることを特徴とするガス絶縁計器用変圧器。
【発明の詳細な説明】
【技術分野】
【０００１】
本発明は、変電所等の母線または線路に接続されるガス絶縁計器用変圧器（以下、ガスＶＴと記載する）に関するものである。
【背景技術】
【０００２】
ガスＶＴは、矩形状の鉄心と鉄心の一つの脚部に巻回された一次コイル及び二次コイルとからなる電圧変成要素を容器内に収容して、容器にＳＦ６ガス等の絶縁媒体を封入した構造を有している。この種のガスＶＴは、通常ガス絶縁開閉装置（以下、ＧＩＳと記載する）に組み込まれて、母線や線路の電圧を変成し、計器や継電器に電圧を供給するために用いられている。
【０００３】
図４および図５を用いて従来例について説明する。図４は電圧変成要素１を示したものである。電圧変成要素１は矩形状に形成された鉄心１ａを備えている。鉄心１ａは鋼板の積層体からなっていて、二次巻形を介して二次コイル１ｂが巻回され、二次コイル１ｂの外側に一次巻形を介して一次コイル１ｃが巻回されている。一次コイル１ｃの外周には高圧シールド１ｄが取り付けられている。
【０００４】
鉄心１ａは薄板の鋼板が積層されて構成されているため、鉄心締付金具１ｆによって固定されている。これらの鉄心１ａと鉄心締付金具１ｆを覆うように三方向に低圧シールド１ｅが取り付けられている。鉄心１ａと鉄心締付金具１ｆが低圧シールド１ｅで覆われることによって、低圧側の電界緩和が行われる。
【０００５】
特許文献１には、変圧器本体の一次コイルの外周を取り囲むように高圧シールド（電界緩和シールド）が設けられていることが記載されている。
【先行技術文献】
【特許文献】
【０００６】
【特許文献１】特開平０７−１３０５６１号公報
【発明の概要】
【発明が解決しようとする課題】
【０００７】
電圧変成要素を構成する鉄心１ａと鉄心締付金具１ｆを覆うように低圧シールド１ｅが取り付けられている。鉄心１ａと鉄心締付金具１ｆが低圧シールド１ｅで覆われることによって、低圧側の電界緩和が行われる。このように電界緩和のために低圧シールド１ｅを用いなければならず、部品点数が多くなり製品の価格が高くなるといった問題があった。さらに部品点数が多くなるため組立の作業工数が多くなるといった問題もあった。
【課題を解決するための手段】
【０００８】
上記課題を解決するため、本発明に係るガスＶＴは、矩形状の薄板の鋼板が積層されて構成された鉄心と、前記鉄心を固定するための鉄心締付金具と、前記鉄心に巻回された二次コイルと、前記二次コイルの外側に巻回された一次コイルと、前記一次コイルの外周に取り付けられた高圧シールドと、前記鉄心と前記鉄心締付金具を覆うように設けられた低圧シールドと、からなる電圧変成要素を備えたガス絶縁計器用変圧器において、前記鉄心締付金具に低圧シールド部が一体形成されていることを特徴とする。
【発明の効果】
【０００９】
本発明によれば、鉄心締付金具に低圧シールド部を形成させることにより、低圧シールドとしての部品を用いることなく電圧変成要素を構成することができる。そうすることで、従来用いていた低圧シールドを無くすことができ、部品点数の少ない価格の安いガスＶＴを提供することができる。さらに、部品点数が少なくなることによって、ガスＶＴの組立の作業工数を減らすことができる。
【図面の簡単な説明】
【００１０】
【図１】図１は本発明の一実施形態におけるガスＶＴの電圧変成要素を示す図である。
【図２】図２は図１のＡ−Ａ矢視図である。
【図３】図３は三相形ガスＶＴの内部構成を示す図である。
【図４】図４は従来のガスＶＴの電圧変成要素を示す図である。
【図５】図５は図４のＡ−Ａ矢視図である。
【発明を実施するための形態】
【００１１】
以下、本発明の実施例について図１および図２を用いて説明する。図１は本発明の一実施形態におけるガスＶＴの電圧変成要素の構成を示す図である。図２は図１の電圧変成要素のＡ−Ａ矢視図である。
【００１２】
電圧変成要素１は、矩形状に形成された鉄心１ａを備えている。鉄心１ａは、鋼板の積層体からなっていて、二次巻形を介して二次コイル１ｂが巻回され、二次コイル１ｂの外側に一次巻形を介して一次コイル１ｃが巻回されている。一次コイル１ｃを取り囲むように非接地側の一次端子を兼ねる電界緩和シールド１ｄが配置されている。
【００１３】
図２に示すように、鉄心１ａは薄板の鋼板が積層されて構成されているため、断面がコの字状の鉄心締付金具１ｆによって挟み込まれるようにして固定されている。これらの鉄心締付金具１ｆのコイル側に低圧シールド部１ｇが設けられている。
【００１４】
低圧シールド部１ｇは、コイル部分の周囲を覆うように鉄心締付金具１ｆに一体形成されている。この低圧シールド部１ｇは、例えば鉄心締付金具１ｆの端部を切削や曲げといった加工によって形成されている。
【００１５】
図３を用いてガスＶＴ全体の構成について説明する。なお、本図では三相形を例にとっているが、三相形に限定されるものではなく、単相形に適用しても良いのは言うまでもない。電圧変成要素１が三相分、容器２内に収納されている。なお、図では一相分しか電圧変成要素１は記載されていない。
【００１６】
容器２の一端に変換フランジ３を介して絶縁スペーサ４が気密に取り付けられている。容器２内にはＳＦ６ガス等の絶縁媒体が封入されている。絶縁スペーサ４には埋め込み導体４ａが設けられている。そして、埋め込み導体４ａに接続導体５が取り付けられ、接続導体５と電界緩和シールド１ｄが接触するように配置されている。
【符号の説明】
【００１７】
１    電圧変成要素
１ａ  鉄心
１ｂ  二次コイル
１ｃ  一次コイル
１ｄ  高圧シールド
１ｅ  低圧シールド
１ｆ  鉄心締付金具
１ｇ  低圧シールド部
２    容器
３    変換フランジ
４    絶縁スペーサ
４ａ  埋め込み導体
５    接続導体
【図１】
2013162059.tif 000003
【図２】
2013162059.tif 000004
【図３】
2013162059.tif 000005
【図４】
2013162059.tif 000006
【図５】
2013162059.tif 000007